(57)【要約】【課題】火花が飛散する作業において、使用する際に、重量を軽くできるとともに使い勝手がよい火花飛散抑制具及び火花飛散抑制具の使用方法を提供する。【解決手段】火花飛散抑制具１０は、難燃性または不燃性を有する布状部材１２と、布状部材１２を凹状に張る複数の親骨１６、受骨１７と、親骨１６、受骨１７にて張られた布状部材１２を、一端部側で支持する支持棒１５(支持部材)を有する。支持棒１５は、布状部材１２を立てて支持する状態及び吊下げ支持の状態のいずれか一方の支持の状態を選択可能に設けられている。【選択図】図１
2016159396.tif 000002
【特許請求の範囲】
【請求項１】
難燃性または不燃性を有する布状部材と、前記布状部材を平面状または凹状に張る複数の骨組材と、前記骨組材にて張られた布状部材を、一端部側で支持する支持部材であって、横置き状態及び吊下げ支持の状態のいずれか一方の支持の状態を選択可能に設けられた支持部材とを有する火花飛散抑制具。
【請求項２】
前記骨組材が、折り畳み可能に組み合わされている請求項１に記載の火花飛散抑制具。
【請求項３】
前記支持部材において、前記布状部材を支持する前記一端部とは反対側の他端部に係止フックが設けられている請求項１または請求項２に記載の火花飛散抑制具。
【請求項４】
前記係止フックには、掛け止めする対象物を挿入する挿入空間内の挿入を許容する口部が設けられるとともに、その口部を閉塞する閉塞部材を有する請求項３に記載の火花飛散抑制具。
【請求項５】
請求項１乃至請求項４のいずれか１項に記載の火花飛散抑制具の使用方法であって、
前記布状部材が前記骨組材にて張られた状態で、前記支持部材を介して該火花飛散抑制具を横置き状態にし、或いは支持部材を掛け止め対象物に掛け止めた状態にし、この状態で、前記張られた布状部材で火花の発散元からの火花を受けることを特徴とする火花飛散抑制具の使用方法。
【発明の詳細な説明】
【技術分野】
【０００１】
本発明は、火花が飛散する作業において使用される火花飛散抑制具及び火花飛散抑制具の使用方法に関するものである。
【背景技術】
【０００２】
従来、火花が出る作業として溶接、溶断、研磨、研削、切削等がある。この火花の飛散を防止または抑制するための道具として、例えば、特許文献１の折畳式作業用工具が提案されている。この折畳式作業用工具では、基板と、その一片から立ち上がって、基板の幅方向とは直交する方向への火花等の進行を阻止する縦遮蔽板と、火花等の上方への進行を阻止する上部遮蔽板と、幅方向への飛散を防止する一対の横部遮蔽部材とを備えて構成されている。前述した縦遮蔽板、上部遮蔽板及び横部遮蔽部材とにより、火花等の進行を遮蔽するようにしている。
【先行技術文献】
【特許文献】
【０００３】
【特許文献１】特開２００４−９２５６号公報
【発明の概要】
【発明が解決しようとする課題】
【０００４】
ところが、この折畳式作業用工具の各遮蔽板は、全体が金属板等により形成されているため、地上置きのみしか適用できず、使い勝手が悪い問題がある。
本発明の目的は、火花が飛散する作業で使用する際に、重量を軽くできるとともに使い勝手がよい火花飛散抑制具及び火花飛散抑制具の使用方法を提供することにある。
【課題を解決するための手段】
【０００５】
上記問題点を解決するために、本発明の火花飛散抑制具は、難燃性または不燃性を有する布状部材と、前記布状部材を平面状または凹状に張る複数の骨組材と、前記骨組材にて張られた布状部材を、一端部側で支持する支持部材であって、横置き状態及び吊下げ支持の状態のいずれか一方の支持の状態を選択可能に設けられた支持部材とを有するものである。
【０００６】
また、前記骨組材が、布状部材を折り畳み可能に組み合わされていてもよい。
また、前記支持部材において、前記布状部材を支持する前記一端部とは反対側の他端部に係止フックが設けられていてもよい。
【０００７】
また、前記係止フックには、掛け止めする対象物を挿入する挿入空間内の挿入を許容する口部が設けられるとともに、その口部を閉塞する閉塞部材を有することが好ましい。
また、本発明の火花飛散抑制具の使用方法は、上記記載の火花飛散抑制具の使用方法であって、前記布状部材が前記骨組材にて張られた状態で、前記支持部材を介して該火花飛散抑制具を横置き状態にし、或いは支持部材を掛け止め対象物に掛け止めた状態にし、この状態で、前記張られた布状部材で火花の発散元からの火花を受けるようにするものである。
【発明の効果】
【０００８】
本発明によれば、火花が飛散する作業で使用する際に、重量を軽くできるとともに使い勝手がよい効果がある。
【図面の簡単な説明】
【０００９】
【図１】一実施形態の火花飛散抑制具の使用状態を示す斜視図。
【図２】一実施形態の火花飛散抑制具の他の使用状態を示す斜視図。
【図３】他の実施形態の火花飛散抑制具の平面図。
【発明を実施するための形態】
【００１０】
以下、本発明の火花飛散抑制具及び火花飛散抑制具の使用方法を具体化した一実施形態を図１及び図２を参照して説明する。
図１に示すように、火花飛散抑制具１０は、具本体１１と、具本体１１を支持する支持部材としての支持棒１５とを有している。具本体１１は、複数の親骨１６と、各親骨１６に連結された受骨１７と、前記複数の親骨１６に張られた布状部材１２とを備えている。親骨１６及び受骨１７は、骨組材に相当する。
【００１１】
前記支持棒１５は、先端側の部位に図示しない筒状の固定ロクロが固着されるとともに、筒状の摺動ロクロ１８が摺動自在に外挿されている。支持棒１５の基端には係止フック１３が固定されている。前記図示しない固定ロクロには、複数の親骨１６の基端が揺動自在に連結されている。複数の親骨１６は前記固定ロクロを中心に等間隔をおいて配置されており、開いた状態では放射状となる。なお、本実施形態の各親骨１６は、互いに同じ長さを有する。
【００１２】
各親骨１６の長手方向中途部と、摺動ロクロ１８とには受骨１７が、その両端において、回動自在に連結されている。このため、摺動ロクロ１８を前記固定ロクロ側に接近させると、各受骨１７が展開しつつ親骨１６を押し上げ、親骨１６及び受骨１７からなる骨組を開くようにされている。このとき、後述する布状部材１２に拘束されて親骨１６が支持棒１５側へ湾曲するようにされている。
【００１３】
反対に、摺動ロクロ１８を係止フック１３側へ移動させて固定ロクロから離間させると、受骨１７が親骨１６を係止フック１３側に接近させて骨組を閉じるようにされている。この閉じた状態では、親骨１６は前記湾曲した状態から、真っ直ぐな状態に戻る。
【００１４】
前記親骨１６の材質は、耐熱性または不燃性であることが好ましく、例えば、金属、炭素繊維等からなり、かつ、弾性を有することが好ましい。また、支持棒１５及び受骨１７の材質は、耐熱性または不燃性であることが好ましく、例えば、金属、炭素繊維等の剛性を有することが好ましい。親骨１６、受骨１７及び支持棒１５の前記材質は、細くされているため、軽量となる。
【００１５】
親骨１６には、布状部材１２が張られている。すなわち、布状部材１２は、親骨１６の数と等しい数の正多角形となる形状である。例えば、本実施形態では、親骨１６の数を８本としているので、正八角形をなすように形成されている。布状部材１２の中心の部位は支持棒１５に貫通されて、前記固定ロクロに固定されている。また、布状部材１２の各角部は親骨１６の先端に掛け止め、或いは図示しない不燃性或いは難燃性の糸等により結び付けられている。
【００１６】
布状部材１２は、例えば、不燃性繊維、不燃性シート、難燃性繊維、難燃性シート等からなり、可撓性を有するとともに、従来と異なり金属板ではないため、軽量である。
また、各受骨１７が展開しつつ親骨１６が押し上げられて親骨１６及び受骨１７からなる骨組を開くようにされた際、親骨１６が湾曲するようにされており、この湾曲により、布状部材１２は、凹状、すなわち、すり鉢状に張られる。
【００１７】
不燃性繊維としては、コーネックス（登録商標）、ケブラー（登録商標）、ノーメックス（登録商標）などのアラミド系繊維やカーボン繊維、ステンレス繊維(ナスロン（登録商標）等)、アモルファス繊維などの金属繊維、セラミック繊維、無機物のガラス繊維やアスベストなどを挙げることができる。また、繊維にテフロン（登録商標）をコーティングして不燃性としてもよい。
【００１８】
難燃性繊維としては、ナイロン、ポリエステル、コットン、レーヨンなどにシリカ処理をしたもの、難燃剤を塗布したもの、シリコンをコーティングしたもの、難燃レーヨンのように素材自体に難燃剤を練り込んだもの等を挙げることができる。また、ガラス繊維にシリコンコーティングしたもの、コーネックス（登録商標）にシリコンコーティングしたり、ガラス繊維にアルミ蒸着フィルムを貼り合わせたシートで構成してもよい。
【００１９】
図１、図２に示すように支持棒１５において、前記固定ロクロ側に寄った部位にはタブ１９が出没自在に突出されている。また、支持棒１５において、係止フック１３側に寄った部位には、タブ２０が出没自在に突出されている。タブ１９、２０は、支持棒１５内に設けられたバネ（図示しない）により、常には支持棒１５から突出するようにされ、前記バネの弾性力に抗して外から押圧することにより、支持棒１５内に没するようにされている。
【００２０】
摺動ロクロ１８は、タブ１９を支持棒１５に没した状態で支持棒１５をタブ１９を超えて固定ロクロ側へ摺動させて、支持棒１５から突出したタブ１９に係止させると、親骨１６を図１、図２に示すように開いた状態にして、布状部材１２を展開した状態に保持することができる。
【００２１】
また、前記タブ１９の係止を外し、摺動ロクロ１８を係止フック１３側へ摺動させ、その摺動ロクロ１８に設けられた図示しない係止穴をタブ２０に係止させると、布状部材１２を折り畳んだ（閉じた）状態に保持可能である。
【００２２】
図１、図２に示すように、係止フック１３は、挿入空間を有するように鍵状をなしている。また、係止フック１３の基端側の部位には、閉塞部材１４が揺動自在に軸１４ａにより支持されている。閉塞部材１４は、図示しないバネにより、その先端が係止フック１３の先端に当接して、閉塞部材１４が開いたときに係止フック１３間に形成されて前記挿入空間に連通する口部を閉塞する。また、閉塞部材１４を前記バネの弾性力に抗して口部を開くと、前記挿入空間内に掛け止め対象物を挿入を許容することが可能となっている。
【００２３】
（実施形態の作用）
上記のように構成された火花飛散抑制具１０の使用方法及び火花飛散抑制具１０の作用を説明する。
【００２４】
図１は、ベランダＢ上で火花が生じるサンダー処理（研磨処理）、溶接等の処理が行われる際に、火花飛散抑制具１０を使用する場合の一例が示されている。この場合、ベランダＢ上で火花が生じると、当該ベランダＢよりも階下に火花が落ちることが予想される。このような場合は、図１に示すように、火花飛散抑制具１０の布状部材１２を開いた状態にすべく、摺動ロクロ１８をタブ１９に係止して、布状部材１２を展開した状態に保持する。
【００２５】
この後、閉塞部材１４を開けた状態にして、係止フック１３の挿入空間にベランダＢの外壁上方に設けられている手すりＣを入れ、この後、閉塞部材１４にて、口部を閉塞する。そして、手すりＣにより具本体１１を吊下げた状態にしてベランダＢの外壁外面に火花飛散抑制具１０を止める。なお、図１では、説明の便宜上、ベランダＢの外壁外面に対して１つの親骨１６のみが当接した状態で図示しているが、実際は２つの親骨１６で、ベランダＢの外壁外面に対して当接する。
【００２６】
手すりＣは、掛け止め対象物の一例である。掛け止め対象物は、手すりに限定されるものではなく、係止フック１３が掛け止めできるものであればよい。閉塞部材１４を有することにより、火花飛散抑制具１０を吊下げした状態では、係止フック１３が手すりＣから外れることがない。
【００２７】
このようにすると、ベランダＢの上方において、サンダー処理、溶接等の処理による火花発生源Ａから生じた火花Ｓが、ベランダＢの外壁を越えて階下に落ちても、布状部材１２によりその火花Ｓを受けることができる。布状部材１２は、難燃性または不燃性を有するため、受けた火花により、発火することはない。
【００２８】
このようにして、火花飛散抑制具１０を、階下に落下させない遮蔽部材とすることができる。
なお、図１の例では、火花飛散抑制具１０を１つしか図示されていないが、火花発生源Ａが例えば、ベランダＢの長手方向に亘って長くある場合には、複数の火花飛散抑制具１０を並べて配置してもよい。
【００２９】
また、布状部材１２は凹状に張られていることと、凹状となった部分が斜め上方を向くことにより、受けた火花が消えた後の粉等は、そのまま布状部材１２上で受け止め保持することも可能である。
【００３０】
図２は、床面Ｅ上において、火花が生じるサンダー処理（研磨処理）、溶接等の処理が行われる際に、火花飛散抑制具１０を横置き状態にして使用する場合の一例が示されている。この場合、床面Ｅ上で火花が生じると、火花発生源Ａからの火花が火花発生源Ａ周囲に火花が飛散することが予想される。
【００３１】
このような場合は、図２に示すように、火花飛散抑制具１０の布状部材１２を開いた状態にすべく、摺動ロクロ１８をタブ１９に係止して、布状部材１２を展開した状態に保持する。
【００３２】
この後、図２に示すように、支持棒１５と、複数の親骨１６のうち、一部の親骨１６を図２に示すように床面Ｅに載置して、火花飛散抑制具１０を横置き状態にする。なお、図２では、説明の便宜上、床面Ｅに対して１つの親骨１６のみが当接した状態で図示しているが、実際は２つの親骨１６で、床面Ｅに対して当接する。
【００３３】
このようにすると、床面Ｅの上方において、サンダー処理、溶接等の処理による火花発生源Ａから生じた火花Ｓを、布状部材１２が受け止める。この結果、火花飛散抑制具１０を超えて火花Ｓが飛散することがない。また、この場合であっても、布状部材１２は、難燃性または不燃性を有するため、受けた火花により、発火することはない。
【００３４】
なお、図２の例では、火花飛散抑制具１０を１つしか図示されていないが、さらに、火花発生源Ａの周囲に複数の火花飛散抑制具１０を配置してもよい。
また、本実施形態では、火花飛散抑制具１０は、折り畳むことができるため、複数の火花飛散抑制具１０が必要な場合であっても、かさばることがなく、不使用の場合に保管する場所に多くのスペースを必要としない利点があるとともに持ち運びにも便利である。
【００３５】
また、火花飛散抑制具１０の材質は、軽量の材質を使用することができるため、高所の作業場への持ち運び時も楽であり、高所作業車へも容易に載せることができる。
上記の実施形態では下記の特徴がある。
【００３６】
（１）本実施形態の火花飛散抑制具１０は、難燃性または不燃性を有する布状部材１２と、布状部材１２を凹状に張る複数の親骨１６(骨組材)、受骨１７(骨組材)と、親骨１６(骨組材)、受骨１７(骨組材)にて張られた布状部材１２を、一端部側で支持する支持棒１５(支持部材)を有する。また、支持棒１５は、横置き状態及び吊下げ支持の状態のいずれか一方の支持の状態を選択可能に設けられている。
【００３７】
この結果、本実施形態によれば、火花が飛散する作業で使用する際に、重量は軽くできるとともに使い勝手がよい効果を奏する。
（２）本実施形態の火花飛散抑制具１０は、親骨１６(骨組材)及び受骨１７(骨組材)が、布状部材１２を折り畳み可能に組み合わされている。
【００３８】
この結果、本実施形態によれば、火花飛散抑制具１０が折り畳み可能であるため、不使用の場合に保管する場所に多くのスペースを必要としない利点がある。また、持ち運びにも便利である。
【００３９】
（３）本実施形態の火花飛散抑制具１０は、支持棒１５(支持部材)において、布状部材１２を支持する一端部とは反対側の他端部に係止フック１３が設けられている。この結果、本実施形態によれば、掛け止め対象物に対して係止フックを係止することにより、容易に火花飛散抑制具を吊下げ状態で使用することができる。
【００４０】
（４）本実施形態の係止フック１３には、掛け止めする対象物を挿入する挿入空間内の挿入を許容する口部が設けられるとともに、その口部を閉塞する閉塞部材１４を有する。この結果、本実施形態によれば、閉塞部材１４を有することにより、火花飛散抑制具１０を吊下げした状態では、係止フック１３が掛け止め対象物から外れることがない。
【００４１】
（５）本実施形態の火花飛散抑制具の使用方法は、布状部材１２が親骨１６(骨組材)及び受骨１７(骨組材)にて張られた状態で、支持部材を介して該火花飛散抑制具を横置き状態にし、或いは支持部材を掛け止め対象物に掛け止めた状態にし、この状態で、張られた布状部材１２で火花の発散元からの火花を受ける。この結果、本実施形態によれば、火花が飛散する作業で使用する際に、重量は軽くできるとともに使い勝手がよい効果を奏する。
【００４２】
なお、本発明は前記実施形態に限定されるものではなく、下記のように構成してもよい。
・前記実施形態では、布状部材１２を正多角形としたが、布状部材１２の外形形状は、正多角形でなくてもよい。
【００４３】
例えば、図３に示すように、長方形状としてもよい。この場合、親骨１６の長さは全て同じ長さにする必要はなく、布状部材１２の中心から前記長方形の角部、長辺の１／２の部位、短辺の１／２の部位迄の長さとなる長さを有する親骨１６とすればよい。もちろん、布状部材１２の形状は、長方形以外の形状で、例えば、楕円形等の非円形であってもよい。
【００４４】
・前記実施形態では、係止フック１３、及び閉塞部材１４を設けたが、両者を省略してもよい。この場合、支持棒１５の基端には、孔等を通すひも通し部を設けて、このひもを、例えば、手すりＣ等に結わえて、図１に示すように吊下げてもよい。
【符号の説明】
【００４５】
１０…火花飛散抑制具、１１…具本体、１２…布状部材、
１３…係止フック、１４…閉塞部材、１４ａ…軸、１５…支持棒、
１６…親骨、１７…受骨、１８…摺動ロクロ、１９…タブ、２０…タブ、
Ａ…火花発生源、Ｂ…ベランダ、Ｃ…手すり、Ｅ…床面。
【図１】
2016159396.tif 000003
【図２】
2016159396.tif 000004
【図３】
2016159396.tif 000005